【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
電力変換システムであって、
スイッチング回路であって、第１の入力ノードとスイッチングノードとの間に接続される第１の１次側トランジスタと、前記スイッチングノードと第２の入力ノードとの間に接続される第２の１次側トランジスタとを含む、前記スイッチング回路と、
直列回路であって、前記スイッチングノードと前記第２の入力ノードとの間で直列に接続される、整数Ｎ個の変圧器１次回路と、キャパシタと、インダクとを含み、Ｎが１より大きい、前記直列回路と、
Ｎ個の変圧器２次回路であって、個々の前記変圧器２次回路が、少なくとも１つの変圧器２次巻線と、第１のコンバータ出力と第２のコンバータ出力との間で前記変圧器２次巻線に直列に接続される、少なくとも１つの２次トランジスタ又はダイオードとを含む、前記Ｎ個の変圧器２次回路と、
制御回路であって、前記変圧器１次回路にＡＣ信号を提供するために、前記スイッチングノードを前記第１及び第２の入力ノードに交互に結合するように、前記第１及び第２の１次側トランジスタを交互にオンオフするために第１のセットのスイッチング制御信号を提供するための第１のセットの出力を含む、前記制御回路と、
前記変圧器１次回路と前記インダクタと前記変圧器２次回路とを磁気的に結合するための単一の磁気回路を提供するためのコアスタック構造であって、スタックに配置されるＮ個の変圧器コア構造と、前記スタックに配置されるインダクタコア構造とを含む、前記コアスタック構造と、
を含み、
前記個々の変圧器１次回路が、前記変圧器コア構造の対応する１つの変圧器コア構造の少なくとも一部の周りに巻かれる変圧器１次巻線を含み、
前記少なくとも１つの変圧器２次巻線が、前記変圧器コア構造の対応する１つの変圧器コア構造の少なくとも一部の周りに巻かれ、
前記インダクタが、前記インダクタコア構造の少なくとも一部の周りに巻かれるインダクタ巻線を含む、電力変換システム。
【請求項２】
請求項１に記載の電力変換システムであって、
前記変圧器コア構造と前記インダクタコア構造とがＥ形構造であり、個々のＥ形構造が、
第１の端部から第２の端部まで第１の方向に延在するベースであって、頂部側及び反対の底部側を含む、前記ベースと、
前記第１の端部に近接する前記ベースの前記頂部側から第２の方向に外方に延在する第１の端部レッグと、
前記第２の端部に近接する前記ベースの前記頂部側から前記第２の方向に外方に延在する第２の端部レッグと、
前記ベースの前記頂部側から前記第２の方向に外方に延在する中間レッグであって、前記第１の方向に沿って、前記第１の端部レッグと前記第２の端部レッグとの間で、前記第１の端部レッグと前記第２の端部レッグとから離間される、前記中間レッグと、
を含み、
前記インダクタ巻線が、前記インダクタコア構造の前記中間レッグの周りに巻かれ、
前記個々の変圧器１次巻線と変圧器２次巻線とが、前記対応する変圧器コア構造の前記中間レッグの周りに巻かれる、電力変換システム。
【請求項３】
請求項２に記載の電力変換システムであって、
前記インダクタコア構造とＮ−１個の前記変圧器コア構造との前記端部レッグと中間レッグとが、隣接する変圧器コア構造の前記ベースに面し、
前記コアスタック構造が、前記変圧器コア構造の第１のものの前記端部レッグと中間レッグとに面する側を含む頂部コア構造を更に含む、電力変換システム。
【請求項４】
請求項３に記載の電力変換システムであって、
前記コア構造が、各変圧器コア構造の前記端部レッグと前記隣接する変圧器又は頂部コア構造の前記ベースとの間に間隙を提供するために、前記コアスタック構造において互いに離間されており、
前記個々の変圧器１次巻線と変圧器２次巻線とが、各個々の変圧器コア構造の前記中間レッグと前記端部レッグとの間のスペースにスタックされ、
前記変圧器巻線の最上位の巻線が、前記変圧器コア構造の前記ベースから最も遠くに配置され、
前記最上位の巻線が、他の前記変圧器巻線の横方向離間距離より大きい距離だけ前記端部レッグから横方向に離間されている、電力変換システム。
【請求項５】
請求項４に記載の電力変換システムであって、
前記最上位の巻線が、前記変圧器２次巻線の１つである、電力変換システム。
【請求項６】
請求項４に記載の電力変換システムであって、
前記個々の変圧器２次回路が、
前記変圧器コア構造のうち対応する１つの変圧器コア構造の少なくとも一部の周りに巻かれる第１及び第２の変圧器２次巻線であって、前記第１及び第２の変圧器２次巻線が第１及び第２の端部を個々に含み、前記第１及び第２の変圧器２次巻線の前記第１の端部が前記第２のコンバータ出力に接続される、前記第１及び第２の変圧器２次巻線と、
第１及び第２の２次トランジスタであって、前記第１の２次トランジスタが、前記第１の変圧器２次巻線の前記第２の端部と前記第１のコンバータ出力との間に接続され、前記第２の２次トランジスタが、前記第２の変圧器２次巻線の前記第２の端部と前記第１のコンバータ出力との間に接続される、前記第１及び第２の２次トランジスタと、
を含む、電力変換システム。
【請求項７】
請求項６に記載の電力変換システムであって、
前記第１及び第２の１次側トランジスタが窒化ガリウム（ＧａＮ）電界効果トランジスタである、電力変換システム。
【請求項８】
請求項４に記載の電力変換システムであって、
前記個々の変圧器１次巻線と変圧器２次巻線とが、印刷回路基板（ＰＣＢ）構造上又はＰＣＢ構造の中に形成される導電構造である、電力変換システム。
【請求項９】
請求項１に記載の電力変換システムであって、
前記変圧器コア構造が、各変圧器コア構造と隣接するコア構造との間に間隙を提供するために、前記コアスタック構造において互いに離間される、電力変換システム。
【請求項１０】
請求項９に記載の電力変換システムであって、
前記個々の変圧器１次巻線と変圧器２次巻線とが、各個々の変圧器コア構造のスペースにおいてスタックされ、
前記変圧器巻線の最上位の巻線が、前記変圧器コア構造のベースから最も遠くに配置され、
前記最上位の巻線が、他の前記変圧器巻線の前記スペースの前記端部からの横方向離間距離より大きい距離だけ前記スペースの端部から横方向に離間される、電力変換システム。
【請求項１１】
請求項１に記載の電力変換システムであって、
前記個々の変圧器２次回路が、
前記変圧器コア構造のうち対応する１つの変圧器コア構造の少なくとも一部の周りに巻かれる第１及び第２の変圧器２次巻線であって、前記第１及び第２の変圧器２次巻線が、第１及び第２の端部を個々に含み、前記第１及び第２の変圧器２次巻線の前記第１の端部が、前記第２のコンバータ出力に接続される、前記第１及び第２の変圧器２次巻線と、
第１及び第２の２次トランジスタであって、前記第１の２次トランジスタが、前記第１の変圧器２次巻線の前記第２の端部と前記第１のコンバータ出力との間に接続され、前記第２の２次トランジスタが、前記第２の変圧器２次巻線の前記第２の端部と前記第１のコンバータ出力との間に接続される、前記第１及び第２の２次トランジスタと、
を含む、電力変換システム。
【請求項１２】
請求項１に記載の電力変換システムであって、
前記第１及び第２の１次側トランジスタが、窒化ガリウム（ＧａＮ）電界効果トランジスタである、電力変換システム。
【請求項１３】
請求項１に記載の電力変換システムであって、
前記個々の変圧器１次巻線と変圧器２次巻線とが、印刷回路基板（ＰＣＢ）構造の上又はＰＣＢ構造の中に形成される導電構造である、電力変換システム。
【請求項１４】
請求項１３に記載の電力変換システムであって、
前記２次トランジスタと各個々の変圧器２次回路の出力キャパシタとが、前記対応するＰＣＢ構造上に取り付けられる、電力変換システム。
【請求項１５】
請求項１に記載の電力変換システムであって、
前記インダクタ巻線が、印刷回路基板（ＰＣＢ）構造の上又はＰＣＢ構造の中に形成される導電構造であり、前記キャパシタが前記ＰＣＢ構造上に取り付けられる、電力変換システム。
【請求項１６】
共振コンバータのための集積された磁気回路であって、
スタック構造に配置される複数の変圧器セルであって、個々の変圧器セルが、
変圧器コア構造と、
変圧器セル印刷回路基板（ＰＣＢ）上又は変圧器セル印刷回路基板ＰＣＢの中の前記変圧器コア構造の周りに延在する導電構造として形成される変圧器１次巻線と、
前記変圧器セルＰＣＢ上又は前記変圧器セルＰＣＢの中の前記変圧器コア構造の周りに延在する導電構造として形成される変圧器２次巻線と、
前記変圧器セルＰＣＢ上に取り付けられ、第１のコンバータ出力と第２のコンバータ出力との間で前記変圧器２次巻線に直列に接続される、２次トランジスタ又はダイオードと、
を含む、前記複数の変圧器セルと、
インダクタセルであって、
インダクタコア構造と、
インダクタセルＰＣＢ上又はインダクタセルＰＣＢの中の前記インダクタコア構造の周りに延在する導電構造として形成されるインダクタ巻線と、
前記インダクタセルＰＣＢ上に取り付けられ、前記インダクタ巻線に直列に接続される共振キャパシタと、
を含む、前記インダクタセルと、
を含み、
前記インダクタ巻線が、前記共振キャパシタと、前記個々の変圧器セルの前記１次巻線とに直列に接続され、
前記インダクタセルが、単一の磁気回路において、前記変圧器１次巻線と前記インダクタ巻線と前記変圧器２次巻線とを磁気的に結合するために、前記変圧器セルと共に前記スタック構造内に配置される、集積された磁気回路。
【請求項１７】
請求項１６に記載の集積された磁気回路であって、
前記個々の変圧器セルが、
前記変圧器セルＰＣＢ上又は前記変圧器セルＰＣＢの中の前記変圧器コア構造の周りに延在する導電構造として形成される第１及び第２の変圧器２次巻線であって、前記第１及び第２の変圧器２次巻線が、個々に第１及び第２の端部を含み、前記第１及び第２の変圧器２次巻線の前記第１の端部が、前記第２のコンバータ出力に接続される、前記第１及び第２の変圧器２次巻線と、
第１及び第２の２次トランジスタであって、前記第１の２次トランジスタが、前記第１の変圧器２次巻線の前記第２の端部と前記第１のコンバータ出力との間に接続され、前記第２の２次トランジスタが、前記第２の変圧器２次巻線の前記第２の端部と前記第１のコンバータ出力との間に接続される、前記第１及び第２の２次トランジスタと、
を更に含む、集積された磁気回路。
【請求項１８】
請求項１６に記載の集積された磁気回路であって、
前記コア構造が、各変圧器コア構造と隣接するコア構造との間に間隙を提供するために、前記コアスタック構造において互いに離間され、
前記個々の変圧器１次巻線と変圧器２次巻線とが、各個々の変圧器コア構造のスペース内に配置され、
前記変圧器巻線の最上位の巻線が、前記変圧器コア構造のベースから最も遠くに配置され、
前記最上位の巻線が、他の前記変圧器巻線の前記スペースの端部からの横方向離間距離より大きい距離だけ前記スペースの前記端部から横方向に離間されている、集積された磁気回路。
【請求項１９】
ＬＬＣ共振コンバータであって、
スイッチングノードにおいて交流電圧を提供するためのスイッチング回路と、
スタック構造において配置される複数の変圧器セルであって、個々の変圧器セルが、
変圧器コア構造と、
前記変圧器コア構造の周りに延在する変圧器１次巻線と、
前記変圧器コア構造の周りに延在する変圧器２次巻線と、
第１のコンバータ出力と第２のコンバータ出力との間で前記変圧器２次巻線に直列に接続される２次トランジスタ又はダイオードと、
を含む、前記複数の変圧器セルと、
インダクタセルであって、
キャパシタと、
前記スイッチングノードと基準ノードとの間に前記キャパシタと直列に接続されるインダクタと、
インダクタコア構造と、
前記インダクタを提供するために前記インダクタコア構造の周りに延在するインダクタ巻線と、
を含む、前記インダクタセルと、
前記スイッチングノードにおいて前記交流電圧を提供するように前記スイッチング回路のスイッチを動作させるための１次側スイッチング制御信号を提供するための第１の出力を含む、制御回路と、
を含み、
前記インダクタセルが、前記変圧器１次巻線と前記インダクタ巻線と前記変圧器２次巻線とを単一の磁気回路において磁気的に結合させるために、前記変圧器セルと共に前記スタック構造に配置される、ＬＬＣ共振コンバータ。
【請求項２０】
請求項１９に記載のＬＬＣ共振コンバータであって、
前記スイッチング回路が窒化ガリウム（ＧａＮ）電界効果トランジスタを含む、ＬＬＣ共振コンバータ。